(57)【要約】公知先行技術による打抜き格子体は付加的な製造ステップによって構成部材に固定されなければならない。本発明による打抜き格子体（１）は少なくとも１つの固定エレメント（５）を有していて、組付けと同時に別の補助手段なしに構成部材（３）に固定される。
2004515068.tif 000002
【特許請求の範囲】
【請求項１】
特に電気的な回路に用いられる打抜き格子体であって、当該打抜き格子体が、構成部材に固定されている形式のものにおいて、
当該打抜き格子体（１）が、少なくとも１つの固定エレメント（５）を有していることを特徴とする、打抜き格子体。
【請求項２】
固定エレメント（５）が、構成部材（３）と共に摩擦接続を形成している、請求項１記載の打抜き格子体。
【請求項３】
固定エレメント（５）が、ばね作用を有している、請求項１または２記載の打抜き格子体。
【請求項４】
当該打抜き格子体（１）が少なくとも部分的に横断面で見てＵ字形に形成されていることによって、固定エレメント（５）が形成されている、請求項１記載の打抜き格子体。
【請求項５】
固定エレメント（５）が、当該打抜き格子体（１）と一体に形成されている、請求項１または４記載の打抜き格子体。
【発明の詳細な説明】
【０００１】
背景技術
本発明は、請求項１の上位概念部に記載した形式の、固定エレメントを備えた打抜き格子体から出発する。
【０００２】
ドイツ連邦共和国特許出願公開第１９８５８２３１号明細書に基づき公知の打抜き格子体はハウジングカバーに嵌め込まれていて、超音波溶接または温間かしめによって、このために設けられた位置ピンによりハウジングカバーに固定されている。すなわち、ハウジングカバーへの打抜き格子体の嵌込みのほかに、さらに別の製造ステップ、つまり、超音波溶接または温間かしめと、このために不可欠な装置とが必要となる。
【０００３】
発明の利点
請求項１の特徴部に記載の特徴を備えた、固定エレメントを備えた本発明による打抜き格子体は従来のものに比べて、簡単に打抜き格子体がその組付けに関して１回の製作ステップで構成部材に固定されているという利点を有している。
【０００４】
従属請求項に記載した手段によって、請求項１に記載した打抜き格子体の有利な構成および改良形が可能となる。
【０００５】
構成部材への固定エレメントの固定の有利な構成は、固定エレメントが構成部材と共に摩擦接続を形成していることによって得られる。
【０００６】
固定エレメントと構成部材との間の摩擦接続を有利に達成するためには、たとえば打抜き格子体が少なくとも部分的に横断面で見てＵ字形を有していることによって、固定エレメントがばね作用を有している。
【０００７】
固定エレメントが打抜き格子体と一体に形成されていると、打抜き格子体と固定エレメントとを有利に１回の作業ステップで製作することができる。
【０００８】
実施例の説明
以下に、本発明の実施例を図面につき詳しく説明する。
【０００９】
図１ａには、本発明による打抜き格子体１の一部が平面図で示してある。この打抜き格子体１は構成部材３に固定されている。この固定は、打抜き格子体１が少なくとも１つの固定エレメント５を有していることによって行われる。この固定エレメント５は、たとえば打抜き格子体１と一体に形成されている。固定エレメント５は、たとえばマンドレル状にかつ／またはフック状に形成されていてよく、これによって、構成部材３への打抜き格子体１の組付け時には、フックが構成部材３に引っ掛けられ、したがって、打抜き格子体１が構成部材３に固定されれる。しかし、固定エレメント５は、この実施例のように、構成部材３と摩擦接続を形成していてもよい。この場合、固定エレメント５はばね作用を有している。このばね作用は種々異なる形式で行うことができる。打抜き格子体１は、たとえば少なくとも部分的に長手方向１１で直線状に形成されていて、固定エレメント５として少なくとも１つのストリップ６を有している。このストリップ６は、打抜き格子体１の長手方向１１に対して横方向、たとえば垂直に横方向１３で打抜き格子体１の両長手方向サイドを越えて延びている。
【００１０】
ストリップ６のばね弾性的な作用はＡ−Ａ線に沿った断面図で図１ｂに示してある。打抜き格子体１は部分的に横断面で見てストリップ６の領域にＵ字形体９を有している。このＵ字形体９は構成部材３の凹設部７の壁１５と摩擦接続を形成している。固定エレメント５の、図１ｃに示した組み付けられていない状態では、Ｕ字形体９が、横方向１３で見て、凹設部７の幅よりも大きな延在長さを有している。すなわち、Ｕ字形体９は凹設部７への固定エレメント５を備えた打抜き格子体１の組込み時に圧縮されなければならない。その後、打抜き格子体１が凹設部７に位置している場合には、打抜き格子体１のばね弾性的な作用に基づき、固定エレメント５が凹設部７の側壁１５に圧着され、したがって、固定エレメント５と凹設部７との間の摩擦接続を形成している。凹設部７は突起を横方向１３で側壁１５に有していてもよく、これによって、Ｕ字形体９が凹設部７内に係止される。打抜き格子体１は、この実施例では、２つの箇所にＵ字形体９を有している。しかし、Ｕ字形体９がより長い区分にわたって延びている、すなわち、たとえば図１ａの上側の固定エレメントと下側の固定エレメントとの間でＵ字形体９、すなわち、Ｕ字形の通路が打抜き格子体１に形成されていることが提案されてもよい。
【００１１】
打抜き格子体１は、たとえば電気機械の電気的な回路の一部を成している。この場合、構成部材３は、たとえば電気機械または電気的な駆動ユニットのハウジングの一部を成している。
【図面の簡単な説明】
【図１ａ】
本発明による打抜き格子体を組み付けられた状態で示す図である。
【図１ｂ】
図１ａのＡ−Ａ線に沿った断面図である。
【図１ｃ】
本発明による打抜き格子体を組み付けられていない状態で示す図である。
【符号の説明】
１　打抜き格子体、　３　構成部材、　５　固定エレメント、　６　ストリップ、　７　凹設部、　９　Ｕ字形体、　１１　長手方向、　１３　横方向、　１５　側壁
【国際公開パンフレット】
2004515068.tif 000003
2004515068.tif 000004
2004515068.tif 000005
2004515068.tif 000006
2004515068.tif 000007
2004515068.tif 000008
2004515068.tif 000009
2004515068.tif 000010
【手続補正書】
【提出日】平成14年8月28日(2002.8.28)
【手続補正１】
【補正対象書類名】明細書
【補正対象項目名】特許請求の範囲
【補正方法】変更
【補正の内容】
【特許請求の範囲】
【請求項１】
固定装置であって、特に電気的な回路に用いられる打抜き格子体が設けられており、該打抜き格子体が、構成部材に固定されており、打抜き格子体（１）が、該打抜き格子体（１）と一体に形成された少なくとも１つの固定エレメント（５）を有している形式のものにおいて、少なくとも１つの固定エレメント（５）が、該固定エレメント（５）のばね作用を介して構成部材（３）と共に摩擦接続を形成していることを特徴とする、固定装置。
【請求項２】
打抜き格子体（１）が、構成部材（３）の凹設部（７）に配置されていて、該凹設部（７）の壁（１５）と共に摩擦接続を形成している、請求項１記載の固定装置。
【請求項３】
打抜き格子体（１）が、Ｕ字形体（９）を有しており、該Ｕ字形体（９）が、固定エレメント（５）の組み付けられていない状態で凹設部（７）の幅よりも大きな延在長さを有している、請求項１または２記載の固定装置。
【請求項４】
打抜き格子体（１）が、電気機械の電気的な回路の一部を成している、請求項１から３までのいずれか１項記載の固定装置。
【請求項５】
構成部材（３）が、電気機械または電気的な駆動ユニットのハウジングの一部を成している、請求項１から４までのいずれか１項記載の固定装置。
【国際調査報告】
2004515068.tif 000011
2004515068.tif 000012
2004515068.tif 000013
2004515068.tif 000014
2004515068.tif 000015
2004515068.tif 000016